(57)【特許請求の範囲】
【請求項１】
紙幣挿入口から挿入された紙幣を識別するビルバリと、
スピーカと、
前記ビルバリで識別した前記紙幣の金種が予め設定された高額紙幣に該当する場合に、
前記スピーカを用いて前記金種を音声で発生した後、販売動作を行う制御手段と、
を有することを特徴とする自動販売機。
【請求項２】
表示灯をさらに有し、
前記制御手段は、前記音声を発生するときに、前記表示灯も作動させる、
ことを特徴とする請求項１に記載の自動販売機。
【請求項３】
前記制御手段は、前記金種と、挿入された前記紙幣の枚数を示す金額データを送信し、
また、前記金額データを受信すると共に、受信した前記金種と前記枚数を報知する報知手段が、前記自動販売機の本体とは別体に設けられている、
ことを特徴とする請求項１に記載の自動販売機。
【発明の詳細な説明】
【技術分野】
【０００１】
本発明は、紙幣を取り扱う自動販売機に関するものである。
【背景技術】
【０００２】
特許文献１に示す自動販売機は、硬貨以外に紙幣も取り扱うことができ、その紙幣も千円札、二千円札、五千円札及び一万円札の４種類を取り扱うことができる。
【先行技術文献】
【特許文献】
【０００３】
【特許文献１】特開２００２−２８８７２１号公報
【発明の概要】
【発明が解決しようとする課題】
【０００４】
ところが、悪意を持ったお客が自動販売機に千円札しか挿入していないにも拘らず、「一万円札を入れたのに千円としか表示されない」などといった言いがかりを、自動販売機の管理者につける場合がある。
【０００５】
特許文献１の自動販売機においては、視覚障害者のために、選択ボタンを押す度に商品情報と投入金額を音声で通知しているが、このような投入金額を常に通知するだけでは、上記のような悪意のある行為を抑止することはできないという問題点があった。
【０００６】
そこで、本発明は上記問題点に鑑み、高額紙幣が挿入された場合にその旨をお客と管理者に対し認知させることができる自動販売機を提供する。
【課題を解決するための手段】
【０００７】
本発明は、紙幣挿入口から挿入された紙幣を識別するビルバリと、スピーカと、前記ビルバリで識別した前記紙幣の金種が予め設定された高額紙幣に該当する場合に、前記スピーカを用いて前記金種を音声で発生した後、販売動作を行う制御手段と、を有することを特徴とする自動販売機である。
【発明の効果】
【０００８】
本発明によれば、高額紙幣が挿入された場合にのみ、その金種を音声で発生するため、お客と管理者は、常に高額紙幣が取り扱われたことを認識することができる。
【発明を実施するための形態】
【０００９】
以下、本発明の一実施例に係る自動販売機の一つである券売機１０について図１〜図３に基づいて説明する。本実施例の券売機は、食券を販売する。
【００１０】
（１）券売機１０の構成
券売機１０の構成について、図１に基づいて説明する。
【００１１】
券売機１０の本体１２の前面には、複数の選択ボタン１４が設けられている。これら選択ボタン１４には、販売する食事のメニュー（例えば、きつねうどんやカレーライス）と値段（例えば、４００円や５００円）が表面に表示されると共に、その内部に売り切れランプが内蔵され、その食品が売り切れの場合には売り切れランプ１６が点灯する。
【００１２】
また、本体１２の前面には、硬貨を投入する硬貨投入口１８、紙幣を挿入する紙幣挿入口２０、投入金額などを表示する表示部２２、スピーカ２４、お釣などの返却を行うための返却口２６、食券を取り出すための取り出し口２８が設けられている。
【００１３】
（２）券売機１０の電気的構成
券売機１０の電気的構成について、図２のブロック図に基づいて説明する。
【００１４】
マイクロコンピュータよりなる券売機１０の制御部３０には、硬貨投入口１８から投入された硬貨を識別等をするためのコインメック３２、紙幣挿入口２０から挿入された紙幣を識別等をするビルバリ（紙幣識別器）３４、販売する食券を印刷するプリンタ３６が接続されている。また、上記で説明した表示部２２、スピーカ２４、複数の選択ボタン１４、売り切れランプ１６も接続されている。さらに、この制御部３０を操作するための操作部３８が接続されている。
【００１５】
（３）券売機１０の動作状態
次に、券売機１０の動作状態について、図３のフローチャートに基づいて説明する。
【００１６】
まず、管理者は、予め操作部３８によって、高額紙幣の金種を指定しておく。例えば、一万円札のみとか、一万円札及び五千円札の両方とかである。
【００１７】
ステップ１では、待機状態でお客が食券を購入するために紙幣を挿入した場合にはステップ２に進み、挿入しなかった場合にはステップ４の販売動作に進む。
【００１８】
ステップ２では、ビルバリ３４は、挿入された紙幣が予め設定された高額紙幣（例えば、一万円札）に該当するか否かを判断し、該当しなければステップ４の販売動作に進み、該当すればステップ３に進む。
【００１９】
ステップ３では、制御部３０は、スピーカ２４を用いて、高額紙幣の金種を音声で発声する。例えば、「一万円札が挿入されました。」などである。そして、ステップ４に進む。
【００２０】
ステップ４では、制御部３０は、通常の販売動作を行う。この販売動作とは、まず、挿入された紙幣の額をビルバリ３４、又は、投入された硬貨の額をコインメック３２で識別し、次に、識別した額に対応した選択ボタン１４を点灯させ、次に、押された選択ボタン１４の内容に対応した食券をプリンタ３６で印刷し、次に、お釣が必要な場合は返却口２６に返却する。そして終了して待機状態に戻る。
【００２１】
（４）効果
本実施例の券売機１０によれば、高額紙幣を挿入した場合にのみ、その金種を音声で知らせるため、詐欺などの犯罪を未然に防止することができる。この理由は、普段から高額紙幣が挿入された場合に音声でその金種を発声させることをお客に認識させることで、千円札を入れて一万円札を入れたとお客が騒いでも、管理者には、音声が発生されなかったと反撃されて、上記のような主張をすることができないからである。また、音声で発声するため、管理者が券売機１０に張り付いている必要がなく、店内に多くの人がいても認識することができ、さらには、音声により店内にいる多くの人にも認識されることなども、犯罪防止の効果理由となる。
【００２２】
（５）変更例１
本発明は上記各実施例に限らず、その主旨を逸脱しない限り種々に変更することができる。
【００２３】
上記実施例では高額紙幣が挿入された場合は、音声のみで知らせたが、これに加えて、券売機１０の上部に回転表示灯を設け、音声の発声と共にこの回転表示灯を動作させてもよい。
【００２４】
（６）変更例２
上記実施例では音声のみで高額紙幣が挿入された場合を知らせたが、これに加えて、制御部３０が、高額紙幣が挿入された場合にその金種とその紙幣の枚数を金額データとして送信する構成にしてもよい。そして、券売機１０の本体１２とは離れた場所であって、常に店員などの管理者が居る場所に、前記データを受信する受信装置を設け、そのデータを受信した場合に、受信装置に備えられている表示装置及びスピーカによってその金種と枚数を店員に報知してもよい。
【００２５】
また、変更例１で説明した回転表示灯を本体１２とは離れた、店員が常にいる場所に設置してもよい。
【００２６】
（７）変更例３
上記実施例では自動販売機として券売機１０で説明したが、これに代えて、タバコの自動販売機や飲料水などの自動販売機に適応してもよい。
【図面の簡単な説明】
【００２７】
【図１】本発明の一実施例を示す券売機の正面図である。
【図２】同じく券売機のブロック図である。
【図３】券売機のフローチャートである。
【符号の説明】
【００２８】
１０  券売機
１２  本体
１４  選択ボタン
２４  スピーカ
３０  制御部
３２  コインメック
３４  ビリバリ
３６  プリイタ
３８  操作部
【図１】
0005491157.tif 000002
【図２】
0005491157.tif 000003
【図３】
0005491157.tif 000004